(57)【要約】【課題】浴槽エプロンに洗い場側から力が掛かっても浴槽フランジと浴槽エプロンとの間に隙間ができない防水構造が十分な浴槽エプロンの取付構造であって、尚且つ、浴槽フランジに浴槽エプロンを取り付けるための構成を別途設ける必要がなく、取付のしやすい着脱自在な浴槽エプロンの取付構造を提供すること。【解決手段】浴槽エプロン４の上端に上嵌め込み凹部５を設けると共に、浴槽エプロン４の下端に下嵌め込み凹部６を設け、浴槽フランジ１外縁から垂下させた垂下片１ａに上嵌め込み凹部５を嵌め込み、浴槽載置部２ｂと洗い場２ｃとを隔てる床パン堰３に下嵌め込み凹部６を嵌合させ、垂下片１ａと上嵌め込み凹部５の外側片５ａの間にエプロン目地材７を圧入して、垂下片１ａを、エプロン目地材７を介して上嵌め込み凹部５で狭持させる。【選択図】図１
2011092299.tif 000002
【特許請求の範囲】
【請求項１】
浴槽フランジの洗い場側の外縁から垂下させた垂下片と、浴槽載置部と洗い場とを隔てる床パン堰と、に亘って取り付ける浴槽エプロンの取付構造において、浴槽エプロンの上端に上方に開口する上嵌め込み凹部を設けると共に、浴槽エプロンの下端に下方に開口する下嵌め込み凹部を設け、垂下片に上嵌め込み凹部を嵌め込み、床パン堰に下嵌め込み凹部を嵌合させ、垂下片と上嵌め込み凹部の外側片の間にエプロン目地材を圧入して、垂下片を、エプロン目地材を介して上嵌め込み凹部で狭持させることを特徴とする浴槽エプロンの取付構造。
【請求項２】
上記浴槽エプロンは、垂下片に上嵌め込み凹部を嵌め込み、且つ床パン堰の上端に下嵌め込み凹部の奥面を当接するように嵌合させて取り付けた状態において、浴槽フランジ下面から上嵌め込み凹部の内側片の上端までの上下方向の距離、及び垂下片下端から上嵌め込み凹部の奥面までの上下方向の距離のいずれも、下嵌め込み凹部の奥面から下嵌め込み凹部の内側片の下端までの上下方向の距離より長くなるように形成したことを特徴とする請求項１記載の浴槽エプロンの取付構造。
【請求項３】
上記エプロン目地材を、浴槽エプロンの両側方に位置する浴室壁面まで延設し、浴槽エプロンの側端と該側端に対向する浴室壁面の間を遮蔽する側目地材を、エプロン目地材の下方の浴槽エプロンの側端部に上下スライド自在に設け、側目地材上端がエプロン目地材下端に当接するようにしたことを特徴とする請求項１または２に記載の浴槽エプロンの取付構造。
【発明の詳細な説明】
【技術分野】
【０００１】
本発明は、浴槽エプロンの取付構造に関するものである。
【背景技術】
【０００２】
従来から浴槽フランジの洗い場側の外縁から垂下させた垂下片と、浴槽載置部と洗い場とを隔てる床パン堰と、に亘って取り付けて、浴槽裏の洗い場側を被装する浴槽エプロンの取付構造においては、図４に示す特許文献１のようなものが提案されている。このような浴槽エプロン４の取付構造では、浴槽フランジ１の裏側の狭い部分にねじ１３等で短尺の弾性部材１２を浴槽フランジ１に沿って複数取り付け、その弾性部材１２と浴槽フランジ１の垂下片１ａとの間の、洗い場２ｃ側からでは差し込み箇所が見えにくい、狭い部分に浴槽エプロン４の上端を差し込んでから、浴槽エプロン４の下端の下嵌め込み凹部６を床パン堰３に嵌め込んで嵌合させて、取り付けるものであった。
【０００３】
しかし、短尺の弾性部材１２を浴槽フランジ１に沿って複数取り付けたのであっては、浴槽エプロン４の上端を垂下片１ａに部分的にしか押さえつけることができず洗い場２ｃ側からかかる力に対して弱い。よって、洗い場２ｃでシャワー等使用している際に、不意に浴槽エプロン４を浴槽載置部２ｂ側に押してしまうと、垂下片１ａと浴槽エプロン４の上端との間に隙間ができて、その隙間から浴槽載置部２ｂ側に水が浸入してしまうという問題があった。
【０００４】
また、浴槽エプロン４を取り付けるためには、浴槽フランジ１の裏側に弾性部材１２をねじ１３等で複数取り付けるという施工手間が発生してしまう上に、浴槽フランジ１の裏側の狭い部分にねじ１３等で複数弾性部材１２を取り付ける施工は難しいという問題があった。また、そうやって取り付けた弾性部材１２と浴槽フランジ１の垂下片１ａとの間の、洗い場２ｃ側からでは見えにくく狭い部分に浴槽エプロン４の上端を差し込む施工もまた難しいという問題があった。
【先行技術文献】
【特許文献】
【０００５】
【特許文献１】特開平１１−７６０８５号公報
【発明の概要】
【発明が解決しようとする課題】
【０００６】
本発明は、浴槽エプロンに洗い場側から力が掛かっても浴槽フランジと浴槽エプロンとの間に隙間ができない防水構造が十分な浴槽エプロンの取付構造であって、尚且つ、浴槽フランジに浴槽エプロンを取り付けるための構成を別途設ける必要がなく、取付のしやすい着脱自在な浴槽エプロンの取付構造を提供することを課題とする。
【課題を解決するための手段】
【０００７】
上記課題を解決するための本発明の浴槽エプロン４の取付構造は、浴槽フランジ１の洗い場２ｃ側の外縁から垂下させた垂下片１ａと、浴槽載置部２ｂと洗い場２ｃとを隔てる床パン堰３と、に亘って取り付ける浴槽エプロン４の取付構造において、浴槽エプロン４の上端に上方に開口する上嵌め込み凹部５を設けると共に、浴槽エプロン４の下端に下方に開口する下嵌め込み凹部６を設け、垂下片１ａに上嵌め込み凹部５を嵌め込み、床パン堰３に下嵌め込み凹部６を嵌合させ、垂下片１ａと上嵌め込み凹部５の外側片５ａの間にエプロン目地材７を圧入して、垂下片１ａを、エプロン目地材７を介して上嵌め込み凹部５で狭持させることを特徴とする。
【０００８】
このように垂下片１ａはエプロン目地材７を介して上嵌め込み凹部５で狭持されているので、通常、上嵌め込み凹部５の外側片５ａと垂下片１ａの間に隙間がなく、もし、浴槽エプロン４に洗い場２ｃ側から力が掛かっても、上嵌め込み凹部５の外側片５ａと垂下片１ａの間のエプロン目地材７が圧縮されるだけであって、上嵌め込み凹部５の外側片５ａと垂下片１ａの間には、隙間ができない。また、浴槽フランジ１の垂下片１ａに浴槽エプロン４の上端を取り付ける際には、上嵌め込み凹部５の外側片５ａと内側片５ｂの間に垂下片１ａを差し込むだけで良いので、差し込み箇所も洗い場２ｃ側から見え易く、施工が容易である。また、浴槽フランジ１の裏側の狭い、見えにくい部分に別途弾性部材を複数取り付ける必要もない。
【０００９】
また、上記浴槽エプロン４は、垂下片１ａに上嵌め込み凹部５を嵌め込み、且つ床パン堰３の上端面３ａに下嵌め込み凹部６の奥面６ｃ１を当接するように嵌合させて取り付けた状態において、浴槽フランジ下面１ｂから上嵌め込み凹部５の内側片５ｂの上端５ｂ１までの上下方向の距離Ｌ１、及び垂下片下端１ａ１から上嵌め込み凹部５の奥面５ｃ１までの上下方向の距離Ｌ２のいずれも、下嵌め込み凹部６の奥面６ｃ１から下嵌め込み凹部６の内側片６ｂの下端６ｂ１までの上下方向の距離Ｌ３より長くなるように形成することが好ましい。
【００１０】
このような寸法で浴槽エプロン４を形成することで、下嵌め込み凹部６の内側片６ｂが邪魔になって、洗い場２ｃ側から垂下片１ａと床パン堰３の間に浴槽エプロン４を出し入れできなくなることはない。
【００１１】
また、上記エプロン目地材７を、浴槽エプロン４の両側方に位置する浴室壁面９、９まで延設し、浴槽エプロン４の側端４ａと該側端４ａに対向する浴室壁面９の間を遮蔽する側目地材１０を、エプロン目地材７の下方の浴槽エプロン４の側端部４ｂに上下スライド自在に設け、側目地材上端１０ａがエプロン目地材下端７ｃに当接するようにすることが好ましい。
【００１２】
このように側目地材１０を、浴槽エプロン４の側端部４ｂから対向する浴室壁面９まで設け、且つ浴槽エプロン４に対して上下スライド自在に設けたことで、浴槽エプロン４側方から浴槽載置部２ｂへの水の浸入を防ぐことができるようにしただけなく、側目地材１０を上方にスライドさせれば、エプロン目地材７を上方に押し上げて、垂下片１ａと上嵌め込み凹部５に圧入したエプロン目地材７を容易に取り外しすることができる。よって、エプロン目地材７を取り外すための構成を別途設ける必要がない。
【発明の効果】
【００１３】
本発明は、浴槽エプロンに洗い場側から力が掛かっても浴槽フランジと浴槽エプロンとの間に隙間ができない防水構造が十分な浴槽エプロンの取付構造であって、尚且つ、浴槽フランジに浴槽エプロンを取り付けるための構成を別途設ける必要がなく、取付のし易い着脱自在な浴槽エプロンの取付構造を提供することができるという効果が得られる。
【００１４】
また、垂下片と床パン堰の間に出し入れ自在な寸法で浴槽エプロンを構成することで、取付のし易い着脱自在な浴槽エプロンの取付構造を提供することができるという効果が得られる。
【００１５】
また、浴槽エプロン側方から浴槽載置部への水の浸入を防ぐ側目地材を上下スライド自在に設けることで、防水性を向上させるだけでなく、エプロン目地材を取り外すための構成を別途設けることなく、エプロン目地材を簡単に外して、浴槽エプロンの取り外しを容易に行うことができるという効果が得られる。
【図面の簡単な説明】
【００１６】
【図１】本発明の実施形態の浴槽エプロンの取り付け状態を示す一部破断斜視図である。
【図２】（ａ）〜（ｄ）は同上の浴槽エプロンの着脱過程を示す断面図である。
【図３】同上の浴槽エプロンの側端部の構成を説明する要部斜視図である。
【図４】従来の浴槽エプロンの取り付け状態を示す断面図である。
【発明を実施するための形態】
【００１７】
以下、本発明を図１に示す実施形態の浴槽エプロン４の取り付け状態に基づいて説明する。本実施形態においては、浴槽載置部２ｂから洗い場２ｃに向かう方向Ｕを前方向、洗い場２ｃから浴槽載置部２ｂに向かう方向Ｖを後ろ方向、浴槽フランジ１に沿って、図１の奥側から手前に向かう方向Ｗを左方向、図１の手前から奥に向かう方向Ｘを右方向、浴槽載置部２ｂから浴槽フランジ１に向かう方向Ｙを上方向、浴槽フランジ１から浴槽載置部２ｂに向かう方向Ｚを下方向とする。なお、浴槽エプロン４及びエプロン目地材７の構造については、図１のように取り付けた状態での方向で説明を行う。
【００１８】
本発明の実施形態の浴槽エプロン４は、浴槽の洗い場２ｃ側の浴槽フランジ１の外縁から垂下させた垂下片１ａと、洗い場２ｃと浴槽載置部２ｂとを隔てる床パン２に設けられた床パン堰３と、に亘って取り付けて、浴槽裏の洗い場２ｃ側を覆い隠すものとなっている。浴槽エプロン４を垂下片１ａと、床パン堰３とに取り付けた状態の浴槽エプロン４の両側方には、浴室壁面９、９が設けられており、垂下片１ａと床パン堰３は、共に両浴室壁面９、９間の全域に亘って設けられている。また、床パン堰３は、上端面３ａが平面となっていて、前面は床パン２に対して略垂直になっていて、後面は下方に近づくほど前面から離れるように若干傾斜している。
【００１９】
浴槽エプロン４は、平板パネルの後面の上部と下部に、左右方向全域に亘って断面略Ｌ字状の突起が設けられ、上部の断面略Ｌ字状の突起とその前側の平板パネルとで上方に向けて開口する上嵌め込み凹部５を形成し、下部の断面略Ｌ字状の突起とその前側の平板パネルとで下方に向けて開口する下嵌め込み凹部６を形成している。ここで、上嵌め込み凹部５の前側の平板パネルを外側片５ａとし、外側片５ａに対向する上嵌め込み凹部５の後側の断面略Ｌ字状の突起の部分を内側片５ｂとし、その外側片５ａと内側片５ｂとを接続する上嵌め込み凹部５の断面略Ｌ字状の突起の他の部分を接続片５ｃとする。また、下嵌め込み凹部６の前側の平板パネルを外側片６ａとし、外側片６ａに対向する下嵌め込み凹部６の後側の断面略Ｌ字状の突起の部分を内側片６ｂとし、その外側片６ａと内側片６ｂを接続する下嵌め込み凹部６の断面略Ｌ字状の突起の他の部分を接続片６ｃとする。
【００２０】
下嵌め込み凹部６の内側片６ｂは、下方に近づくほど対向する外側片６ａから離れるように傾斜している。このように傾斜していることで、床パン堰３に下嵌め込み凹部６を嵌合させる際に、ピタリと位置合わせしなくても、内側片６ｂがガイド片の役割をして、嵌合位置に浴槽エプロン４の下端の下嵌め込み凹部６をガイドする。それに対して、上嵌め込み凹部５の内側片５ｂは、対向する外側片５ａに対して略平行になっている。
【００２１】
接続片５ｃ、接続片６ｃは、それぞれ浴槽エプロン４の平板パネルに対して略垂直に設けられており、上嵌め込み凹部５の接続片５ｃの上面と外側片５ａの後面との接続部から、接続片５ｃの上面と内側片５ｂの前面との接続部までの前後方向の距離は、垂下片１ａの前後方向の厚みより広めに設定して、垂下片１ａの斜め前下方から、垂下片１ａに上嵌め込み凹部５を嵌め込む際に、嵌め込みやすいようにしている。また、下嵌め込み凹部６の接続片６ｃの下面と内側片６ｂの前面との接続部から、接続片６ｃの下面と外側片６ａの後面との接続部までの前後方向の距離は、床パン堰３の上端面３ａの前後方向の長さと略同じになっていて、床パン堰３に下嵌め込み凹部６を取り付けた際に、外側片６ａの上部と内側片６ｂの上部とで床パン堰３を狭持するように嵌合される。このとき、床パン堰３の上端面３ａと、下嵌めこみ凹部６の接続片６ｃの下面（奥面６ｃ１）は当接する。また、上嵌め込み凹部５の接続片５ｃには、前後方向の中央に、左右方向に亘って排水孔８が複数設けられていて、浴槽エプロン４着脱時に、上嵌め込み凹部５の外側片５ａと垂下片１ａとの隙間から水が侵入しても、接続片５ｃ上に溜まらないようになっている。
【００２２】
また、上嵌め込み凹部５の内側片５ｂの上部には、前側に湾曲する湾曲部５ｂ２が左右方向全域に亘って設けてある。上嵌め込み凹部５を垂下片１ａに嵌め込み、上嵌め込み凹部５の外側片５ａと垂下片１ａの間にできた隙間にエプロン目地材７を挿入した際に、上嵌め込み凹部５の外側片５ａと、上嵌め込み凹部５の内側片５ｂの湾曲部５ｂ２とでエプロン目地材７を介して、垂下片１ａを狭持するようしている。ここで、湾曲部５ｂ２ではなく、上嵌め込み凹部５の内側片５ｂの上部に前方向に突起する突起部を設けても良い。
【００２３】
エプロン目地材７は、上嵌め込み凹部５の外側片５ａと垂下片１ａとの隙間に入る平板部７ｂと、その上端に設けた断面視略直角三角形の形状のストッパー部７ａから成っている。外側片５ａと垂下片１ａとの隙間にエプロン目地材７を挿入した際に、直角三角形状のストッパー部７ａの直角をなす辺の一辺が、垂下片１ａに沿い、他の一辺が、外側片５ａの上端に当たって、ある一定の深さ以上、エプロン目地材７が圧入できないようになっている。また、このようにエプロン目地材７の上端を断面視略直角三角形の形状とすることで、垂下片１ａやエプロン目地材７の上端にかかった液体がエプロン目地材７上に溜まらず下方に流れるようになっている。
【００２４】
垂下片１ａに上嵌め込み凹部５を嵌め込み、且つ床パン堰３の上端面３ａに下嵌め込み凹部６の接続片６ｃの下面（奥面６ｃ１）を当接するように嵌合させて浴槽エプロン４を取り付けた状態において、浴槽フランジ下面１ｂから上嵌め込み凹部５の内側片５ｂの上端５ｂ１までの上下方向の距離Ｌ１、及び垂下片下端１ａ１から上嵌め込み凹部５の接続片５ｃの上面（奥面５ｃ１）までの上下方向の距離Ｌ２のいずれも、下嵌め込み凹部６の奥面６ｃ１から下嵌め込み凹部６の内側片６ｂの下端６ｂ１までの上下方向の距離Ｌ３より長く形成し、また、上嵌め込み凹部５の奥面５ｃ１から外側片５ａの上端５ａ１までの上下方向の距離Ｌ４は、距離Ｌ２より長く形成している。
【００２５】
このようにＬ１をＬ３より長く形成することで、浴槽エプロン４を上方に持ち上げて、浴槽フランジ下面１ｂに上嵌め込み凹部５の内側片５ｂの上端５ｂ１が当たった状態であっても、下嵌め込み凹部６の内側片６ｂの下端６ｂ１は床パン堰３の上端面３ａよりも上方に位置することになり、内側片６ｂが邪魔になって、床パン堰３の上方に洗い場２ｃ側から下嵌め込み凹部６を出し入れできなくなることはない。また、Ｌ２をＬ３より長く形成することで、垂下片下端１ａ１に浴槽エプロン４の上嵌め込み凹部５の奥面５ｃ１を当接させれば、下嵌め込み凹部６を床パン堰３の上方に洗い場２ｃ側から出し入れする際に下嵌め込み凹部６の内側片６ｂが邪魔になって、出し入れできなくなることはない。また、Ｌ４をＬ２より長く形成することで、上嵌め込み凹部５をさらに浴槽載置部２ｂ側に倒そうとしても、上嵌め込み凹部５の外側片５ａが垂下片１ａに当たって、倒れることはない。
【００２６】
本発明の浴槽エプロンの取付構造は、上記のように垂下片１ａはエプロン目地材７を介して上嵌め込み凹部５で狭持されているので、通常、上嵌め込み凹部５の外側片５ａと垂下片１ａの間に隙間がなく、もし、浴槽エプロン４に洗い場２ｃ側から力が掛かっても、上嵌め込み凹部５の外側片５ａと垂下片１ａの間のエプロン目地材７が圧縮されるだけであって、上嵌め込み凹部５の外側片５ａと垂下片１ａの間には、隙間ができない。また、浴槽フランジ１の垂下片１ａに浴槽エプロン４の上端を取り付ける際には、上嵌め込み凹部５の外側片５ａと内側片５ｂの間に垂下片１ａを差し込むだけで良いので、差し込み箇所も洗い場２ｃ側から見え易く、施工が容易である。また、浴槽フランジ１の裏側の狭い、見えにくい部分に別途弾性部材を複数取り付ける必要もない。また、洗い場２ｃ側から垂下片１ａと床パン堰３の間に出し入れ自在な寸法で浴槽エプロン４を構成し、浴槽エプロン４の下端の下嵌め込み凹部６は床パン堰３に嵌合させるだけの構成となっていて、エプロン目地材７を取り外せば上嵌め込み凹部５と垂下片１ａの間には隙間ができるような構成となっているので、浴槽エプロン４は取付のし易い着脱自在なものとなっている。
【００２７】
本発明の実施形態の浴槽エプロン４を、垂下片１ａと、床パン堰３に取り付ける際には、図２（ａ）に示すように、まず、垂下片１ａの下方に、上嵌め込み凹部５の奥面５ｃ１が対向し、上嵌め込み凹部５が下嵌め込み凹部６より後方に位置するように浴槽エプロン４を斜めに傾ける。続いて、図２（ｂ）に示すように、垂下片下端１ａ１に上嵌め込み凹部５の奥面５ｃ１が接するまで、浴槽エプロン４の上嵌め込み凹部５を垂下片１ａに嵌め込み、下嵌め込み凹部６の奥面６ｃ１が床パン堰３の上端面３ａに対向する位置まで、浴槽エプロン４の下嵌め込み凹部６を回転させる。続いて、図２（ｃ）に示すように、ガイド片の機能をなす下嵌め込み凹部６の内側片６ｂに沿わせて、浴槽エプロン４を下方に移動させ、床パン堰３の上端面３ａに奥面６ｃ１を当接させて、床パン堰３に下嵌め込み凹部６を嵌合させる。そして、最後に、図２（ｄ）に示すように、エプロン目地材７の平板部７ｂを、上嵌め込み凹部５の外側片５ａと垂下片１ａとの隙間に圧入する。このようにすることで、垂下片１ａを、エプロン目地材７を介して上嵌め込み凹部５で狭持させ、床パン堰３に下嵌め込み凹部６を嵌合させて、浴槽エプロン４を垂下片１ａと、床パン堰３と、に亘って取り付けることができる。なお、上記の逆の手順を踏むことで、浴槽エプロン４は垂下片１ａと、床パン堰３から取り外すことができる。
【００２８】
続いて、図３に示す本発明の実施形態の浴槽エプロン４の側端部４ｂの構成について説明する。ここで、側端部４ｂとは、浴槽エプロン４の側端４ａから、浴槽エプロン４の中央部側に一部入った部分のことを示している。
【００２９】
エプロン目地材７は、上嵌め込み凹部５の外側片５ａと垂下片１ａとの隙間だけでなく、浴槽エプロン４の両側方に位置する浴室壁面９、９まで、同じ形状で延設している。図３では、浴槽エプロン４の一方の側端部４ｂのみ記載しているが、他方の側端部４ｂについても同様の構成となっている。浴槽エプロン４の側端部４ｂから、その側端部４ｂに対向する浴室壁面９までのエプロン目地材７の下方には、浴槽エプロン４の側端４ａとその側端４ａに対向する浴室壁面９の間を遮蔽する側目地材１０を設けている。側目地材１０の前後幅は、上嵌め込み凹部５の外側片５ａと垂下片１ａとの隙間に圧入した状態のエプロン目地材７の平板部７ｂの前後幅と略同じになっている。側目地材１０は、浴槽エプロン４の側端部４ｂの後側に上下スライド可能に取付けられている。
【００３０】
浴槽エプロン４の側端部４ｂの後面には取付部４ｃが設けられており、側目地材１０の前面には、その取付部４ｃに上下にスライド自在に取り付けられる被取付部１０ｃが設けられている。ここで、取付部４ｃに被取付部１０ｃを取り付けた状態で、側目地材１０の被取付部１０ｃを設けていない側の側端は、浴室壁面９に当接している。被取付部１０ｃは、側目地材１０の前面の側端部に上下に長孔状に凹設されたものであり、取付部４ｃは、その長孔よりも左右幅の狭い突起が突設されたものとなっている。その突起が長孔内の上端から下端まで移動することによって、浴槽エプロン４に対して側目地材１０は、上下スライド可能となっている。突起が長孔の上端に位置する状態が、側目地材１０が、最下方に位置した状態となっている。なお、取付部４ｃ及び被取付部１０ｃの構成は、上下スライドさせて着脱可能であれば他の構成であっても良い。
【００３１】
ここで、側目地材１０が設けられる部分の上嵌め込み凹部５の接続片５ｃには、側目地材１０の前後幅と同じ前後幅の開口部が、外側片５ａに沿って設けられており、側目地材１０が設けられる部分の下嵌め込み凹部６の接続片６ｃには、側目地材１０の前後幅と同じ前後幅の開口部が、外側片６ａに沿って設けられており、その外側片６ａの開口部の下方の床パン堰３の前面は、上端から底面まで側目地材１０の前後幅と同じ前後幅だけ後方に凹んだ構成となっている。
【００３２】
側目地材１０をスライドさせて最下方に位置させた状態で、エプロン目地材７は上嵌め込み凹部５の外側片５ａと垂下片１ａの間にできた隙間に挿入される。この時、エプロン目地材下端７ｃに側目地材上端１０ａが当接して、エプロン目地材７と側目地材１０との間に隙間ができないようにしている。また、この側目地材１０をスライドさせて最下方に位置させた状態において、側目地材下端１０ｂは浴槽エプロン４の下端よりも下方に位置しており、且つ側目地材下端１０ｂと床パン２の洗い場２ｃの底面の間には隙間がある。
【００３３】
このように側目地材１０を、浴槽エプロン４の側端部４ｂから対向する浴室壁面９まで設け、且つ浴槽エプロン４に対して上下スライド自在に設けたことで、浴槽エプロン４側方から浴槽載置部２ｂへの水の浸入を防ぐことができるようにしただけなく、側目地材１０を上方にスライドさせれば、エプロン目地材７を上方に押し上げて、垂下片１ａと上嵌め込み凹部５に圧入したエプロン目地材７を容易に取り外しすることができる。よって、エプロン目地材７を取り外すための構成を別途設ける必要がない。
【００３４】
また、側目地材１０を浴槽エプロン４後方の側端部４ｂから、その側端部４ｂに対向する浴室壁面９にかけて幅広く設け、さらに側目地材下端１０ｂを浴槽エプロン４の下端よりも下方に位置させ、その下方には床パン２の洗い場２ｃの底面との間に隙間を設けたことで、その隙間に指を入れて幅広い側目地材下端１０ｂに指をかけて持ち上げることができる。よって、側目地材１０を上方にスライドさせやすくなっている。なお、側目地材１０をスライドさせて最下方に位置させた状態において、側目地材下端１０ｂが浴槽エプロン４下端と同じ高さに位置するようにしても構わない。
【００３５】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００３６】
１     浴槽フランジ
１ａ   垂下片
１ａ１ 垂下片下端
１ｂ   浴槽フランジ下面
２     床パン
２ｂ   浴槽載置部
２ｃ   洗い場
３     床パン堰
３ａ   上端面
４     浴槽エプロン
４ａ   側端
４ｂ    側端部
４ｃ   取付部
５     上嵌め込み凹部
５ａ   外側片
５ａ１ 上端
５ｂ   内側片
５ｂ１ 上端
５ｂ２ 湾曲部
５ｃ   接続片
５ｃ１ 奥面
６     下嵌め込み凹部
６ａ   外側片
６ｂ   内側片
６ｂ１ 下端
６ｃ   接続片
６ｃ１ 奥面
７     エプロン目地材
７ａ   ストッパー部
７ｂ   平板部
７ｃ   エプロン目地材下端
８     排水孔
９     浴室壁面
１０    側目地材
１０ａ 側目地材上端
１０ｂ 側目地材下端
１０ｃ  被取付部
【図１】
2011092299.tif 000003
【図２】
2011092299.tif 000004
【図３】
2011092299.tif 000005
【図４】
2011092299.tif 000006